(57)【要約】【課題】記録媒体を搬送しつつ、回転している版胴と押圧部材とで前記記録媒体を挟みこみ、前記版胴から前記記録媒体に画像を転写する構成の画像形成装置において、押圧部材の移動に伴う騒音の発生を抑制する。【解決手段】版胴３の回転に同期して、押圧部材５を、記録媒体Ｗを版胴３に押し付ける位置と版胴３から離れた位置との間で移動させる押圧部材移動手段１７と、押圧部材移動手段１７による押圧部材５の移動を無くして、押圧部材５を版胴３から離れた一定の位置で保持する保持手段２１とを有する。【選択図】図１
2009220524.tif 000002
【特許請求の範囲】
【請求項１】
記録媒体を搬送しつつ、回転している版胴と押圧部材とで前記記録媒体を挟みこみ、前記版胴から前記記録媒体に画像を転写する構成の画像形成装置において、
前記版胴の回転に同期して、前記押圧部材を、前記記録媒体を前記版胴に押し付ける位置と前記版胴から離れた位置との間で移動させる押圧部材移動手段と；
前記押圧部材移動手段による前記押圧部材の移動を無くして、前記押圧部材を前記版胴から離れた一定の位置で保持する保持手段と；
を有することを特徴とする画像形成装置。
【請求項２】
記録媒体を搬送しつつ、回転している版胴とこの版胴に前記記録媒体を押し付けるための押圧部材とで前記記録媒体を挟みこみ、前記版胴から前記記録媒体に画像を転写する構成の画像形成装置において、
前記版胴の回転に同期して、前記押圧部材を、前記記録媒体を前記版胴に押し付ける位置と前記版胴から離れた位置との間で移動させる押圧部材移動手段と；
前記押圧部材移動手段による前記押圧部材の移動ストロークのうちで前記版胴側における前記押圧部材の移動を無くして、前記押圧部材と前記版胴との間の距離が一定の距離以上になるように、前記押圧部材を保持する第１の保持手段と；
前記押圧部材移動手段による前記押圧部材の移動を無くし、前記押圧部材と前記版胴との間の距離が、前記押圧部材移動手段で前記押圧部材が前記版胴から最も離れたところに位置しているときの前記版胴と前記押圧部材との間の距離よりもさらに大きな一定の距離になるように、前記押圧部材を保持する第２の保持手段とを有し、
前記押圧部材移動手段は、カム機構を用いて前記押圧部材を移動する手段であり、前記カム機構の従動節に前記押圧部材が支持されており、前記カム機構の動節の基礎円に前記従動節が接しているときには、前記記録媒体を前記版胴に押し付ける位置に前記押圧部材が存在し、前記カム機構の動節の基礎円以外の部位に前記従動節が接しているときには、前記版胴から離れた位置に前記押圧部材が存在するように構成されており、
前記第１の保持手段は、前記従動節に一体的に設けられた第１の係止部と、この第１の係止部に接触可能な第１の接触位置と前記第１の係止部から離れた第１の離別位置との間を移動自在な第１の移動部材とを備えて構成されており、前記カム機構によって前記押圧部材が前記版胴から最も離れているところもしくはこの近傍に位置しているときに、前記第１の移動部材が前記第１の接触位置に位置することにより、前記第１の移動部材で前記従動節の移動が規制されて、前記動節の回転にかかわらず前記押圧部材が前記版胴から離れるように構成されていると共に、前記第１の移動部材が前記第１の離別位置に位置しているときには、前記カム機構の従動節が前記カム機構の動節の基礎円に接触するように構成されており、前記第１の移動部材が前記第１の接触位置に位置しているときには、前記カム機構の従動節が前記カム機構の動節の基礎円から離間するように構成されており、
前記第２の保持手段は、前記従動節に一体的に設けられた第２の係止部と、この第２の係止部に接触する第２の接触位置と前記第２の係止部から離れた第２の離別位置との間を移動自在な第２の移動部材とを備えて構成されており、前記第２の移動部材は、前記第２の接触位置と前記第２の離別位置との間を移動するようになっており、前記第２の接触位置に前記第２の移動部材が位置しているときに、前記押圧部材が、前記カム機構によって前記版胴から最も離れた位置よりもさらに離れた位置で保持されるように構成されていると共に、前記第２の移動部材が前記第２の接触位置に位置しているときには、前記カム機構の従動節が前記カム機構の動節から完全に離間するように構成されていることを特徴とする画像形成装置。
【請求項３】
請求項２に記載の画像形成装置において、
前記版胴が複数設けられており、
これらの版胴毎に、前記押圧部材移動手段と前記各保持手段とが設けられていることを特徴とする画像形成装置。
【請求項４】
請求項３に記載の画像形成装置において、
前記各版胴のうちで印刷を実行しない版胴を選択する選択手段と；
前記選択手段で選択された版胴に前記記録媒体を押し付けるための押圧部材を、前記第１の保持手段で保持し、この保持をした状態で、前記第２の保持手段で保持し、前記選択手段で選択されなかった版胴を用いて記録媒体への画像形成を実行するように制御する制御手段と；
を有することを特徴とする画像形成装置。
【請求項５】
筐体に回転自在に設けられ、記録媒体に転写される画像が形成されている原版を外周に設置自在になっている版胴と；
前記版胴の回転に同期して回転する回転カムと；
中間部で前記筐体に係合して前記筐体に回動自在に設けられ、一端部側が弾性体により付勢されていることによって他端部側に設けられたカムフォロアが前記回転カムに接し、前記回転カムの回転によって回動するレバーと；
前記レバーの他端部側で前記レバーに回転自在に設けられ、記録媒体の搬送路を搬送されてくる記録媒体を前記版胴に押し付ける押し付け位置と、前記版胴から離れた第１の離反位置との間を、前記回転カムによる前記レバーの回動によって移動するようになっており、前記カムフォロアが前記回転カムの基礎円に接しているときには、前記押し付け位置のところに位置し、前記カムフォロアが前記回転カムの基礎円以外の部位に接しているときには、前記第１の離反位置に位置するようになっている押圧ローラと；
前記レバーの一端部側に設けられた被当接部に当接する当接部を一端部側に備え、中間部で前記筐体に係合して前記筐体に回動自在に設けられ、前記当接部が前記レバーの被当接部に当接することにより前記押圧ローラが前記押し付け位置と前記第１の離反位置との間に存在する第２の離反位置よりも前記版胴に近づかないように前記レバーの回動を規制する規制位置と、前記当接部が前記レバーの被当接部から離れて前記押圧ローラが前記押し付け位置と前記第１の離反位置との間を移動できるように前記レバーが回動できる非規制位置との間で回動し、他端部側が弾性体によって付勢されていることによって前記規制位置に位置するようになっているフック部材と；
前記レバーの一端部側の部位に接近もしくは離反する方向で前記筐体に移動自在に設けられ、前記レバーの一端部側の部位に当接して前記押圧ローラを前記第１の離反位置よりも前記版胴から離れた一定の位置である第３の離反位置に位置させる当接位置と、前記レバーの一端部側の部位から離れた位置である非当接位置との間を、アクチュエータと自動締りのウォーム歯車機構もしくはアクチュエータと逆回転止めのねじ機構とを用いて移動するようになっており、前記フック部材の他端部側の部位に当接するストッパを備え、前記非当接位置もしくはこの近傍に位置しているときまたは前記非当接位置から前記非当接位置と前記当接位置との間に位置している中間位置まで移動するときに、前記ストッパが前記フック部材の他端部側の部位に当接して前記フック部材が前記非規制位置に位置するようになっており、前記中間位置と前記当接位置との間に位置しているときには、前記レバーの一端部側の部位に当接して前記押圧ローラを前記版胴から離れた位置に位置させるようになっている可動部材と；
を有し、前記可動部材が前記当接位置から前記非当接位置に向かう方向に移動するときに前記ストッパが前記フック部材に接触しても前記フック部材が回動しないようなワンウェイ構造で、前記ストッパが前記可動部材に設けられていることを特徴とする画像形成装置。
【請求項６】
筐体に回転自在に設けられ、記録媒体に転写される画像が形成されている第１の原版を外周に設置自在になっている第１の版胴と；
前記第１の版胴から離れたところで前記第１の版胴と同期して前記筐体に回転自在に設けられ、第１の版胴によって画像が転写された記録媒体に転写される画像が形成されている第２の原版を外周に設置自在になっている第２の版胴と；
前記第１の版胴の回転に同期して回転する第１の回転カムと；
中間部で前記筐体に係合して前記筐体に回動自在に設けられ、一端部側が弾性体により付勢されていることによって他端部側に設けられたカムフォロアが前記第１の回転カムに接し、前記第１の回転カムの回転によって回動する第１のレバーと；
前記第１のレバーの他端部側で前記第１のレバーに回転自在に設けられ、記録媒体の搬送路を搬送されてくる記録媒体を前記第１の版胴に押し付ける押し付け位置と、前記第１の版胴から離れた第１の離反位置との間を、前記第１の回転カムによる前記第１のレバーの回動によって移動するようになっており、前記カムフォロアが前記第１の回転カムの基礎円に接しているときには、前記押し付け位置のところに位置し、前記カムフォロアが前記第１の回転カムの基礎円以外の部位に接しているときには、前記第１の離反位置に位置するようになっている第１の押圧ローラと；
前記第１のレバーの一端部側に設けられた被当接部に当接する当接部を一端部側に備え、中間部で前記筐体に係合して前記筐体に回動自在に設けられ、前記当接部が前記第１のレバーの被当接部に当接することにより前記第１の押圧ローラが前記押し付け位置と前記第１の離反位置との間に存在する第２の離反位置よりも前記第１の版胴に近づかないように前記第１のレバーの回動を規制する規制位置と、前記当接部が前記第１のレバーの被当接部から離れて前記第１の押圧ローラが前記押し付け位置と前記第１の離反位置との間を移動できるように前記第１のレバーが回動できる非規制位置との間で回動し、他端部側が弾性体によって付勢されていることによって前記規制位置に位置するようになっている第１のフック部材と；
前記第１のレバーの一端部側の部位に接近もしくは離反する方向で前記筐体に移動自在に設けられ、前記第１のレバーの一端部側の部位に当接して前記第１の押圧ローラを前記第１の離反位置よりも前記第１の版胴から離れた一定の位置である第３の離反位置に位置させる当接位置と、前記第１のレバーの一端部側の部位から離れた位置である非当接位置との間を、第１のアクチュエータと自動締りのウォーム歯車機構もしくは第１のアクチュエータと逆回転止めのねじ機構とを用いて移動するようになっており、前記第１のフック部材の他端部側の部位に当接するストッパを備え、前記非当接位置もしくはこの近傍に位置しているときまたは前記非当接位置から前記非当接位置と前記当接位置との間に位置している中間位置まで移動するときに、前記ストッパが前記第１のフック部材の他端部側の部位に当接して前記第１のフック部材が前記非規制位置に位置するようになっており、前記中間位置と前記当接位置との間に位置しているときには、前記第１のレバーの一端部側の部位に当接して前記第１の押圧ローラを前記第１の版胴から離れた位置に位置させるようになっている第１の可動部材と；
前記第２の版胴の回転に同期して回転する第２の回転カムと；
中間部で前記筐体に係合して前記筐体に回動自在に設けられ、一端部側が弾性体により付勢されていることによって他端部側に設けられたカムフォロアが前記第２の回転カムに接し、前記第２の回転カムの回転によって回動する第２のレバーと；
前記第２のレバーの他端部側で前記第２のレバーに回転自在に設けられ、前記記録媒体搬送路を搬送されてくる記録媒体を前記第２の版胴に押し付ける押し付け位置と、前記第２の版胴から離れた第１の離反位置との間を、前記第２の回転カムによる前記第２のレバーの回動によって移動するようになっており、前記カムフォロアが前記第２の回転カムの基礎円に接しているときには、前記押し付け位置のところに位置し、前記カムフォロアが前記第２の回転カムの基礎円以外の部位に接しているときには、前記第１の離反位置に位置するようになっている第２の押圧ローラと；
前記第２のレバーの一端部側に設けられた被当接部に当接する当接部を一端部側に備え、中間部で前記筐体に係合して前記筐体に回動自在に設けられ、前記当接部が前記第２のレバーの被当接部に当接することにより前記第２の押圧ローラが前記押し付け位置と前記第１の離反位置との間に存在する第２の離反位置よりも前記第２の版胴に近づかないように前記第２のレバーの回動を規制する規制位置と、前記当接部が前記第２のレバーの被当接部から離れて前記第２の押圧ローラが前記押し付け位置と前記第１の離反位置との間を移動できるように前記第２のレバーが回動できる非規制位置との間で回動し、他端部側が弾性体によって付勢されていることによって前記規制位置に位置するようになっている第２のフック部材と；
前記第２のレバーの一端部側の部位に接近もしくは離反する方向で前記筐体に移動自在に設けられ、前記第２のレバーの一端部側の部位に当接して前記第２の押圧ローラを前記第１の離反位置よりも前記第２の版胴から離れた一定の位置である第３の離反位置に位置させる当接位置と、前記第２のレバーの一端部側の部位から離れた位置である非当接位置との間を、第２のアクチュエータと自動締りのウォーム歯車機構もしくは第２のアクチュエータと逆回転止めのねじ機構とを用いて移動するようになっており、前記第２のフック部材の他端部側の部位に当接するストッパを備え、前記非当接位置もしくはこの近傍に位置しているときまたは前記非当接位置から前記非当接位置と前記当接位置との間に位置している中間位置まで移動するときに、前記ストッパが前記第２のフック部材の他端部側の部位に当接して前記第２のフック部材が前記非規制位置に位置するようになっており、前記中間位置と前記当接位置との間に位置しているときには、前記第２のレバーの一端部側の部位に当接して前記第２の押圧ローラを前記第２の版胴から離れた位置に位置させるようになっている第２の可動部材と；
を有し、前記第１の可動部材が前記当接位置から前記非当接位置に向かう方向に移動するときに前記ストッパが前記第１のフック部材に接触しても前記第１のフック部材が回動しないようなワンウェイ構造で、前記ストッパが前記第１の可動部材に設けられており、前記第２の可動部材が前記当接位置から前記非当接位置に向かう方向に移動するときに前記ストッパが前記第２のフック部材に接触しても前記第２のフック部材が回動しないようなワンウェイ構造で、前記ストッパが前記第２の可動部材に設けられていることを特徴とする画像形成装置。
【請求項７】
請求項６に記載の画像形成装置において、
前記各版胴のうちで印刷を実行しない版胴を選択する選択手段と；
前記選択手段で選択された版胴に前記記録媒体を押し付けるための押圧ローラが、前記第１の離反位置に位置しているときに、前記選択手段で選択された版胴側に設けられているフック部材を前記規制位置に位置させ、前記フック部材が前記規制位置に位置している状態で、前記選択手段で選択された版胴側に設けられている可動部材を移動して前記当接位置に位置させ、前記選択手段で選択されなかった版胴を用いて記録媒体への画像形成を実行するように制御する制御手段と；
を有することを特徴とする画像形成装置。
【発明の詳細な説明】
【技術分野】
【０００１】
本発明は、画像形成装置に係り、特に、版胴とこの版胴に記録媒体を押し付けるための押圧部材とで記録媒体を挟みこみ、版胴から記録媒体に画像を転写するものに関する。
【背景技術】
【０００２】
図１１〜図１４は、従来の画像形成装置２００における版胴２０２と押圧ローラ２０４とが設けられている部位の概略構成を示す図である。
【０００３】
画像形成装置２００は、用紙を搬送しつつ、回転中心軸ＣＬ１を中心にして筐体２０６に対し回転している版胴２０２とこの版胴２０２に用紙を押し付けるための押圧ローラ２０４とで用紙を挟みこみ、版胴２０２から用紙に画像を転写するようになっている。
【０００４】
筐体２０６には、レバー２０８が軸ＣＬ５を回動中心にして回動自在に設けられており、レバー２０８の一端部側が、引っ張りバネ２１０により引っ張られ、レバー２０８が反時計回りに付勢されている。レバー２０８の他端部側には、押圧ローラ２０４が、回転中心軸ＣＬ２を中心にして回転自在に設けられており、また、レバー２０８の他端部側には、カムフォロア２１２が、回転中心軸ＣＬ７を中心にして回転自在に設けられている。
【０００５】
また、筐体２０６には、回転カム２１４が軸ＣＬ６を回転中心にし版胴２０２に同期して回転するようになっている。そして、引っ張りバネ２１０によりカムフォロア２１２が回転カム２１４の基礎円の部位２１４Ａに接しているときには、押圧ローラ２０４が版胴２０２に接して版胴２０２を押圧し用紙を挟み込めるようになっている（図１１参照）。一方、カムフォロア２１２が回転カム２１４の基礎円の部位以外の部位（突出部位）２１４Ｂに接しているときには、押圧ローラ２０４が版胴２０２から離れるようになっている（図１２参照）。
【０００６】
また、筐体２０６には、フック部材２１６が軸ＣＬ８を回動中心にして回動自在に設けられており、フック部材２１６の一端部側には、ソレノイド２１８が設けられており、フック部材２１６の他端部側には、引っ張りバネ２１８が設けられており、この引っ張りバネ２１８で引っ張られて、フック部材２１６が反時計回りに付勢されている。
【０００７】
ソレノイド２１８がオンすることによって、フック部材２１６が時計まわりに回動し、図１１や図１２に示す姿勢になる。一方、ソレノイド２１８がオフすることによって、フック部材２１６が反時計まわりに回動し、図１３や図１４に示す姿勢になる。
【０００８】
フック部材２１６が図１１や図１２に示す姿勢にあるときには、回転カム２１４の回転にかかわらず、フック部材２１６の当接部２２０は、レバー２０８の被当接部２２２に当接しないようになっている。この状態では、版胴２０２が１回転すると、回転カム２１４が１回転しレバー２０８が１往復回動し（揺動し）押圧ローラ２０４が版胴２０２に接触し押圧する位置（図１１参照）と、押圧ローラ２０４が版胴２０２から離れた位置（図１２参照）との間を１往復するようになっている。
【０００９】
版胴２０２が押圧ローラ２０４で押圧されているときに、１枚の用紙が版胴２０２と押圧ローラ２０４とで挟みこまれて搬送されつつこの１枚の用紙に画像が形成（転写）されるようになっている。
【００１０】
ところで、搬送される用紙に画像を形成したくない場合には、回転カム２１４の回転にかかわらず、押圧ローラ２０４を版胴２０２から常に離しておく必要があるので、ソレノイド２１８をオフしフック部材２１６を反時計まわりに回動して、図１３や図１４に示す姿勢にする。ソレノイド２１８をオフするタイミングは、図１３に示すように、カムフォロア２１２が回転カム２１４の突出部位２１４Ｂの頂上部に接しており、押圧ローラ２０４が版胴２０２から最も離れているときである（図１３参照）。
【００１１】
ソレノイド２１８を前記タイミングでオフしてから回転カム２１４がさらに回転すると、図１４に示す状態になる。いずれにしても、フック部材２１６が図１３や図１４に示す姿勢にあるときには、フック部材２１６によって、レバー２０８の回動が規制され、回転カム２１４が回転しても、押圧ローラ２０４が版胴２０２から常に離れており、用紙への画像形成がされないようになっている。
【００１２】
なお、上記従来に技術に関連する特許文献として、たとえば特許文献１を掲げることができる。
【特許文献１】特開２００２−３６６９６号公報
【発明の開示】
【発明が解決しようとする課題】
【００１３】
ところで、従来の画像形成装置２００において、搬送される用紙に画像を形成しないようにすべく、フック部材２１６を、図１３や図１４に示す姿勢に回動位置決めしておくと、図１３に示す状態において、当接部２２０と被当接部２２２との間に間隙Ｇ１が生じており、図１４に示す状態では、当接部２２０と被当接部２２２とがお互いに接触しているので、図１３から図１４に示す状態になるときに、レバー２０８が回動して当接部２２０に被当接部２２２がぶつかり、騒音が発生するという問題がある。
【００１４】
また、図１４に示す状態において、カムフォロア２１２が回転カム２１４から離れており、図１３に示す状態では、カムフォロア２１２が回転カム２１４に接触しているので、図１３から図１４に示す状態になるときに、レバー２０８が回動してカムフォロア２１２が回転カム２１４にぶつかり、騒音が発生するという問題がある。
【００１５】
上記各ぶつかりは、既に理解されるように、レバー２０８が１往復する間（版胴２０２が１回転する間）に２回（当接部２２０と被当接部２２２とで１回、カムフォロア２１２と回転カム２１４とで１回）発生するようになっている。
【００１６】
なお、上記問題は、たとえば、黒色での画像形成（印刷）専用の版胴と、赤色での画像形成（印刷）専用の版胴とを備えている画像形成装置において発生しやすい問題である。
【００１７】
すなわち、上記画像形成装置において、黒色での画像形成のみが必要な場合があり、この場合には、赤色の版胴に設けられている押圧ローラを赤色の版胴のフック部材を用いて逃がしておく（赤色の版胴の接触しないように離しておく）と共に、用紙を用紙搬送路に沿って流すからである。
【００１８】
本発明は、前記問題点に鑑みてなされたものであり、記録媒体を搬送しつつ、回転している版胴とこの版胴に前記記録媒体を押し付けるための押圧部材とで前記記録媒体を挟みこみ、前記版胴から前記記録媒体に画像を転写する構成の画像形成装置において、騒音の発生を抑制することができる画像形成装置を提供することを目的とする。
【課題を解決するための手段】
【００１９】
請求項１に記載の発明は、記録媒体を搬送しつつ、回転している版胴と押圧部材とで前記記録媒体を挟みこみ、前記版胴から前記記録媒体に画像を転写する構成の画像形成装置において、前記版胴の回転に同期して、前記押圧部材を、前記記録媒体を前記版胴に押し付ける位置と前記版胴から離れた位置との間で移動させる押圧部材移動手段と、前記押圧部材移動手段による前記押圧部材の移動を無くして、前記押圧部材を前記版胴から離れた一定の位置で保持する保持手段とを有する画像形成装置である。
【００２０】
請求項２に記載の発明は、記録媒体を搬送しつつ、回転している版胴とこの版胴に前記記録媒体を押し付けるための押圧部材とで前記記録媒体を挟みこみ、前記版胴から前記記録媒体に画像を転写する構成の画像形成装置において、前記版胴の回転に同期して、前記押圧部材を、前記記録媒体を前記版胴に押し付ける位置と前記版胴から離れた位置との間で移動させる押圧部材移動手段と、前記押圧部材移動手段による前記押圧部材の移動ストロークのうちで前記版胴側における前記押圧部材の移動を無くして、前記押圧部材と前記版胴との間の距離が一定の距離以上になるように、前記押圧部材を保持する第１の保持手段と、前記押圧部材移動手段による前記押圧部材の移動を無くし、前記押圧部材と前記版胴との間の距離が、前記押圧部材移動手段で前記押圧部材が前記版胴から最も離れたところに位置しているときの前記版胴と前記押圧部材との間の距離よりもさらに大きな一定の距離になるように、前記押圧部材を保持する第２の保持手段とを有し、前記押圧部材移動手段は、カム機構を用いて前記押圧部材を移動する手段であり、前記カム機構の従動節に前記押圧部材が支持されており、前記カム機構の動節の基礎円に前記従動節が接しているときには、前記記録媒体を前記版胴に押し付ける位置に前記押圧部材が存在し、前記カム機構の動節の基礎円以外の部位に前記従動節が接しているときには、前記版胴から離れた位置に前記押圧部材が存在するように構成されており、前記第１の保持手段は、前記従動節に一体的に設けられた第１の係止部と、この第１の係止部に接触可能な第１の接触位置と前記第１の係止部から離れた第１の離別位置との間を移動自在な第１の移動部材とを備えて構成されており、前記カム機構によって前記押圧部材が前記版胴から最も離れているところもしくはこの近傍に位置しているときに、前記第１の移動部材が前記第１の接触位置に位置することにより、前記第１の移動部材で前記従動節の移動が規制されて、前記動節の回転にかかわらず前記押圧部材が前記版胴から離れるように構成されていると共に、前記第１の移動部材が前記第１の離別位置に位置しているときには、前記カム機構の従動節が前記カム機構の動節の基礎円に接触するように構成されており、前記第１の移動部材が前記第１の接触位置に位置しているときには、前記カム機構の従動節が前記カム機構の動節の基礎円から離間するように構成されており、前記第２の保持手段は、前記従動節に一体的に設けられた第２の係止部と、この第２の係止部に接触する第２の接触位置と前記第２の係止部から離れた第２の離別位置との間を移動自在な第２の移動部材とを備えて構成されており、前記第２の移動部材は、前記第２の接触位置と前記第２の離別位置との間を移動するようになっており、前記第２の接触位置に前記第２の移動部材が位置しているときに、前記押圧部材が、前記カム機構によって前記版胴から最も離れた位置よりもさらに離れた位置で保持されるように構成されていると共に、前記第２の移動部材が前記第２の接触位置に位置しているときには、前記カム機構の従動節が前記カム機構の動節から完全に離間するように構成されている画像形成装置である。
【００２１】
請求項３に記載の発明は、請求項２に記載の画像形成装置において、前記版胴が複数設けられており、これらの版胴毎に、前記押圧部材移動手段と前記各保持手段とが設けられていることを特徴とする画像形成装置である。
【００２２】
請求項４に記載の発明は、請求項３に記載の画像形成装置において、前記各版胴のうちで印刷を実行しない版胴を選択する選択手段と、前記選択手段で選択された版胴に前記記録媒体を押し付けるための押圧部材を、前記第１の保持手段で保持し、この保持をした状態で、前記第２の保持手段で保持し、前記選択手段で選択されなかった版胴を用いて記録媒体への画像形成を実行するように制御する制御手段とを有する画像形成装置である。
【００２３】
請求項５に記載の発明は、筐体に回転自在に設けられ、記録媒体に転写される画像が形成されている原版を外周に設置自在になっている版胴と、前記版胴の回転に同期して回転する回転カムと、中間部で前記筐体に係合して前記筐体に回動自在に設けられ、一端部側が弾性体により付勢されていることによって他端部側に設けられたカムフォロアが前記回転カムに接し、前記回転カムの回転によって回動するレバーと、前記レバーの他端部側で前記レバーに回転自在に設けられ、記録媒体の搬送路を搬送されてくる記録媒体を前記版胴に押し付ける押し付け位置と、前記版胴から離れた第１の離反位置との間を、前記回転カムによる前記レバーの回動によって移動するようになっており、前記カムフォロアが前記回転カムの基礎円に接しているときには、前記押し付け位置のところに位置し、前記カムフォロアが前記回転カムの基礎円以外の部位に接しているときには、前記第１の離反位置に位置するようになっている押圧ローラと、前記レバーの一端部側に設けられた被当接部に当接する当接部を一端部側に備え、中間部で前記筐体に係合して前記筐体に回動自在に設けられ、前記当接部が前記レバーの被当接部に当接することにより前記押圧ローラが前記押し付け位置と前記第１の離反位置との間に存在する第２の離反位置よりも前記版胴に近づかないように前記レバーの回動を規制する規制位置と、前記当接部が前記レバーの被当接部から離れて前記押圧ローラが前記押し付け位置と前記第１の離反位置との間を移動できるように前記レバーが回動できる非規制位置との間で回動し、他端部側が弾性体によって付勢されていることによって前記規制位置に位置するようになっているフック部材と、前記レバーの一端部側の部位に接近もしくは離反する方向で前記筐体に移動自在に設けられ、前記レバーの一端部側の部位に当接して前記押圧ローラを前記第１の離反位置よりも前記版胴から離れた一定の位置である第３の離反位置に位置させる当接位置と、前記レバーの一端部側の部位から離れた位置である非当接位置との間を、アクチュエータと自動締りのウォーム歯車機構もしくはアクチュエータと逆回転止めのねじ機構とを用いて移動するようになっており、前記フック部材の他端部側の部位に当接するストッパを備え、前記非当接位置もしくはこの近傍に位置しているときまたは前記非当接位置から前記非当接位置と前記当接位置との間に位置している中間位置まで移動するときに、前記ストッパが前記フック部材の他端部側の部位に当接して前記フック部材が前記非規制位置に位置するようになっており、前記中間位置と前記当接位置との間に位置しているときには、前記レバーの一端部側の部位に当接して前記押圧ローラを前記版胴から離れた位置に位置させるようになっている可動部材とを有し、前記可動部材が前記当接位置から前記非当接位置に向かう方向に移動するときに前記ストッパが前記フック部材に接触しても前記フック部材が回動しないようなワンウェイ構造で、前記ストッパが前記可動部材に設けられている画像形成装置である。
【００２４】
請求項６に記載の発明は、筐体に回転自在に設けられ、記録媒体に転写される画像が形成されている第１の原版を外周に設置自在になっている第１の版胴と、前記第１の版胴から離れたところで前記第１の版胴と同期して前記筐体に回転自在に設けられ、第１の版胴によって画像が転写された記録媒体に転写される画像が形成されている第２の原版を外周に設置自在になっている第２の版胴と、前記第１の版胴の回転に同期して回転する第１の回転カムと、中間部で前記筐体に係合して前記筐体に回動自在に設けられ、一端部側が弾性体により付勢されていることによって他端部側に設けられたカムフォロアが前記第１の回転カムに接し、前記第１の回転カムの回転によって回動する第１のレバーと、前記第１のレバーの他端部側で前記第１のレバーに回転自在に設けられ、記録媒体の搬送路を搬送されてくる記録媒体を前記第１の版胴に押し付ける押し付け位置と、前記第１の版胴から離れた第１の離反位置との間を、前記第１の回転カムによる前記第１のレバーの回動によって移動するようになっており、前記カムフォロアが前記第１の回転カムの基礎円に接しているときには、前記押し付け位置のところに位置し、前記カムフォロアが前記第１の回転カムの基礎円以外の部位に接しているときには、前記第１の離反位置に位置するようになっている第１の押圧ローラと、前記第１のレバーの一端部側に設けられた被当接部に当接する当接部を一端部側に備え、中間部で前記筐体に係合して前記筐体に回動自在に設けられ、前記当接部が前記第１のレバーの被当接部に当接することにより前記第１の押圧ローラが前記押し付け位置と前記第１の離反位置との間に存在する第２の離反位置よりも前記第１の版胴に近づかないように前記第１のレバーの回動を規制する規制位置と、前記当接部が前記第１のレバーの被当接部から離れて前記第１の押圧ローラが前記押し付け位置と前記第１の離反位置との間を移動できるように前記第１のレバーが回動できる非規制位置との間で回動し、他端部側が弾性体によって付勢されていることによって前記規制位置に位置するようになっている第１のフック部材と、前記第１のレバーの一端部側の部位に接近もしくは離反する方向で前記筐体に移動自在に設けられ、前記第１のレバーの一端部側の部位に当接して前記第１の押圧ローラを前記第１の離反位置よりも前記第１の版胴から離れた一定の位置である第３の離反位置に位置させる当接位置と、前記第１のレバーの一端部側の部位から離れた位置である非当接位置との間を、第１のアクチュエータと自動締りのウォーム歯車機構もしくは第１のアクチュエータと逆回転止めのねじ機構とを用いて移動するようになっており、前記第１のフック部材の他端部側の部位に当接するストッパを備え、前記非当接位置もしくはこの近傍に位置しているときまたは前記非当接位置から前記非当接位置と前記当接位置との間に位置している中間位置まで移動するときに、前記ストッパが前記第１のフック部材の他端部側の部位に当接して前記第１のフック部材が前記非規制位置に位置するようになっており、前記中間位置と前記当接位置との間に位置しているときには、前記第１のレバーの一端部側の部位に当接して前記第１の押圧ローラを前記第１の版胴から離れた位置に位置させるようになっている第１の可動部材と、前記第２の版胴の回転に同期して回転する第２の回転カムと、中間部で前記筐体に係合して前記筐体に回動自在に設けられ、一端部側が弾性体により付勢されていることによって他端部側に設けられたカムフォロアが前記第２の回転カムに接し、前記第２の回転カムの回転によって回動する第２のレバーと、前記第２のレバーの他端部側で前記第２のレバーに回転自在に設けられ、前記記録媒体搬送路を搬送されてくる記録媒体を前記第２の版胴に押し付ける押し付け位置と、前記第２の版胴から離れた第１の離反位置との間を、前記第２の回転カムによる前記第２のレバーの回動によって移動するようになっており、前記カムフォロアが前記第２の回転カムの基礎円に接しているときには、前記押し付け位置のところに位置し、前記カムフォロアが前記第２の回転カムの基礎円以外の部位に接しているときには、前記第１の離反位置に位置するようになっている第２の押圧ローラと、前記第２のレバーの一端部側に設けられた被当接部に当接する当接部を一端部側に備え、中間部で前記筐体に係合して前記筐体に回動自在に設けられ、前記当接部が前記第２のレバーの被当接部に当接することにより前記第２の押圧ローラが前記押し付け位置と前記第１の離反位置との間に存在する第２の離反位置よりも前記第２の版胴に近づかないように前記第２のレバーの回動を規制する規制位置と、前記当接部が前記第２のレバーの被当接部から離れて前記第２の押圧ローラが前記押し付け位置と前記第１の離反位置との間を移動できるように前記第２のレバーが回動できる非規制位置との間で回動し、他端部側が弾性体によって付勢されていることによって前記規制位置に位置するようになっている第２のフック部材と、前記第２のレバーの一端部側の部位に接近もしくは離反する方向で前記筐体に移動自在に設けられ、前記第２のレバーの一端部側の部位に当接して前記第２の押圧ローラを前記第１の離反位置よりも前記第２の版胴から離れた一定の位置である第３の離反位置に位置させる当接位置と、前記第２のレバーの一端部側の部位から離れた位置である非当接位置との間を、第２のアクチュエータと自動締りのウォーム歯車機構もしくは第２のアクチュエータと逆回転止めのねじ機構とを用いて移動するようになっており、前記第２のフック部材の他端部側の部位に当接するストッパを備え、前記非当接位置もしくはこの近傍に位置しているときまたは前記非当接位置から前記非当接位置と前記当接位置との間に位置している中間位置まで移動するときに、前記ストッパが前記第２のフック部材の他端部側の部位に当接して前記第２のフック部材が前記非規制位置に位置するようになっており、前記中間位置と前記当接位置との間に位置しているときには、前記第２のレバーの一端部側の部位に当接して前記第２の押圧ローラを前記第２の版胴から離れた位置に位置させるようになっている第２の可動部材とを有し、前記第１の可動部材が前記当接位置から前記非当接位置に向かう方向に移動するときに前記ストッパが前記第１のフック部材に接触しても前記第１のフック部材が回動しないようなワンウェイ構造で、前記ストッパが前記第１の可動部材に設けられており、前記第２の可動部材が前記当接位置から前記非当接位置に向かう方向に移動するときに前記ストッパが前記第２のフック部材に接触しても前記第２のフック部材が回動しないようなワンウェイ構造で、前記ストッパが前記第２の可動部材に設けられている画像形成装置である。
【００２５】
請求項７に記載の発明は、請求項６に記載の画像形成装置において、前記各版胴のうちで印刷を実行しない版胴を選択する選択手段と、前記選択手段で選択された版胴に前記記録媒体を押し付けるための押圧ローラが、前記第１の離反位置に位置しているときに、前記選択手段で選択された版胴側に設けられているフック部材を前記規制位置に位置させ、前記フック部材が前記規制位置に位置している状態で、前記選択手段で選択された版胴側に設けられている可動部材を移動して前記当接位置に位置させ、前記選択手段で選択されなかった版胴を用いて記録媒体への画像形成を実行するように制御する制御手段とを有する画像形成装置である。
【発明の効果】
【００２６】
請求項1に記載の発明によれば、押圧部材を版胴から離れた一定の位置で保持するので、押圧部材の移動に伴う騒音の発生を抑制することができる。
【００２７】
請求項２に記載の発明によれば、第１の保持手段で押圧部材を保持するので、連続して複数枚の記録媒体を搬送しつつ画像形成している状態において、記録媒体の搬送を停止することなく版胴による画像形成を直ちに停止することができ、上記保持をした状態で、第２の保持手段により版胴と押圧部材との間の距離が、より大きな一定の距離になるように保持するので、押圧部材の移動に伴う騒音の発生を抑制することができる。
【００２８】
請求項３に記載の発明によれば、各版胴毎に、押圧部材移動手段と各保持手段とが設けられているので、記録媒体搬送路における記録媒体の搬送形態を変えることなく、必要な版胴のみを使用して記録媒体に画像形成をすることができる。
【００２９】
請求項４に記載の発明によれば、選択手段で選択された版胴に記録媒体を押し付けるための押圧部材を第１の保持手段で保持し、この保持をした状態で、第２の保持手段で保持するので、記録媒体搬送路における記録媒体の搬送形態を変えることなく、必要な版胴のみを使用して記録媒体に画像形成をすることができる。
【００３０】
請求項５に記載の発明によれば、まずフック部材で押圧ローラを保持し、この保持した状態で、可動部材を用い押圧ローラを一定の位置に保持するので、連続して複数枚の記録媒体を搬送しつつ画像形成している状態において、記録媒体の搬送を停止することなく版胴による画像形成を直ちに停止することができると共に、押圧ローラを移動する機構から発生する騒音（回転カムがカムフォロアにぶつかり、また、レバーにフック部材がぶつかるときに発生する騒音）を抑制することができる。
【００３１】
請求項６に記載の発明によれば、各版胴毎に、フック部材と可動部材とが設けられているので、記録媒体搬送路における記録媒体の搬送形態を変えることなく、必要な版胴のみを使用して記録媒体に画像形成するができる。
【００３２】
請求項７に記載の発明によれば、選択手段で選択された版胴に記録媒体を押し付けるための押圧ローラ（レバー）をフック部材で保持し、この保持をした状態で押圧ローラ（レバー）を可動部材でさらに保持するので、記録媒体搬送路における記録媒体の搬送形態を変えることなく、必要な版胴のみを使用して記録媒体に画像形成することができる。
【発明を実施するための最良の形態】
【００３３】
図１は、本発明の実施形態に係る画像形成装置１の概略構成を示す図である。
【００３４】
画像形成装置（たとえば、孔版印刷装置）１は、記録媒体Ｗを搬送しつつ、回転している（自転している）版胴３（３Ａ，３Ｂ）とこの版胴３に記録媒体Ｗを押し付けるための押圧部材（たとえば、押圧ローラ）５（５Ａ，５Ｂ）とで記録媒体Ｗを挟みこみ、版胴３にある原画像を記録媒体Ｗにたとえばインキを用いて転写し、記録媒体Ｗに画像形成する装置である。なお、記録媒体Ｗとして、たとえば、Ａ３等の各種サイズの用紙等を掲げることができる。
【００３５】
版胴（ドラム）３Ａの外周には、マスター（孔版原紙；原版）の先端をクランプするマスタークランプ部（図示せず）が設けられており、マスタークランプ部で先端部がクランプされたマスターが、版胴３Ａの外周に巻き付けられて固定されるようになっている。マスターには、記録媒体Ｗに転写される画像の原画像（画像）が形成されている。原画像は、たとえば、サーマルヘッド（図示せず）によってマスターに感熱穿孔することにより形成される。
【００３６】
そして、版胴３Ａの内側から図示しないインキ供給装置でインキを供給すると、この供給されたインキが、版胴の外周の巻き付けられているマスターの穿孔部を通過して、記録媒体Ｗに画像が転写され形成されるようになっている。
【００３７】
版胴（ドラム）３Ｂも、版胴３Ａと同様に構成されている。また、マスターは、たとえば矩形なシート状に形成されており、マスターが、版胴３に設置された状態では、図１の紙面に直交する方向が、マスターの幅方向になっており、円柱側面形状の版胴の外周の円周方向が、マスターの長手方向になっている。
【００３８】
画像形成装置１の筐体７には、記録媒体搬送路（用紙搬送路）９と給紙カセット１１と排紙カセット１３と制御装置１５とが設けられている。
【００３９】
記録媒体搬送路９は、記録媒体Ｗをこの長手方向もしくは幅方向（図１に示す矢印ＡＲ１の方向）で搬送する際に、記録媒体Ｗをガイドするためのものであり、たとえば、平板状のガイド部材を備えて構成されている。
【００４０】
給紙カセット１１は、画像が形成される前の記録媒体Ｗを複数枚積層して格納するようになっており、記録媒体搬送路９の上流側に設けられている。また、排紙カセット１３は、画像が形成された記録媒体Ｗを複数枚積層して格納するようになっており、記録媒体搬送路９の下流側に設けられている。
【００４１】
そして、制御装置１５の制御の下、図示しない給紙ローラによって、給紙カセット１１から記録媒体Ｗが記録媒体搬送路９に１枚ずつ供給され、この供給された記録媒体Ｗが、版胴３Ａと押圧部材５Ａとで挟みこまれて搬送されつつ、記録媒体Ｗに画像が形成され、版胴３Ａによって画像が形成された記録媒体Ｗが、版胴３Ｂと押圧部材５Ｂとで挟みこまれてさらに搬送されつつ、記録媒体Ｗに画像が形成されるようになっている。
【００４２】
版胴３Ｂによって画像が形成された記録媒体Ｗは、排紙カセット１３に排紙されて積層されるようになっている。
【００４３】
版胴３Ａと版胴３Ｂとを設けてあることにより、たとえば、黒色（版胴３Ａ）と赤色（版胴３Ｂ）等の色違いの画像であって形態の異なる画像を記録媒体Ｗに形成することができるようになっている。
【００４４】
また、画像形成装置１には、押圧部材移動手段１７（１７Ａ、１７Ｂ）と第１の保持手段１９（１９Ａ，１９Ｂ）と第２の保持手段２１（２１Ａ，２１Ｂ）とが設けられている。押圧部材移動手段１７Ａ，第１の保持手段１９Ａ，第２の保持手段２１Ａは、版胴３Ａのために設けられているものである。押圧部材移動手段１７Ｂ，第１の保持手段１９Ｂ，第２の保持手段２１Ｂは、版胴３Ｂのために設けられているものであり、押圧部材移動手段１７Ａ，第１の保持手段１９Ａ，第２の保持手段２１Ａと同様に構成されている。
【００４５】
押圧部材移動手段１７Ａは、版胴３Ａの回転に同期して、押圧部材５Ａを、記録媒体Ｗを版胴３Ａに押し付ける位置（図１に実線で示した位置）と版胴３Ａから離れた位置（図１に破線で示した位置）との間で移動させるものである。すなわち、たとえば、所定の間隔をあけて搬送している複数枚の記録媒体Ｗに１枚づつ次々に版胴３Ａで画像を形成するときに、版胴３Ａが１回転して１枚の記録媒体Ｗに画像が形成されるようになっている。そして、版胴３Ａが１回転すると、押圧部材移動手段１７Ａによって押圧部材５Ａが１往復だけ移動するようになっている。つまり、従来の画像形成装置２００と同様に、記録媒体Ｗが版胴３Ａのところに搬送されてきたときに、押圧部材５Ａで版胴３Ａを押圧し、記録媒体Ｗが版胴３Ａのところに存在しないときは、押圧部材５Ａが版胴３Ａから離れるようになっている。
【００４６】
第１の保持手段１９Ａは、版胴３Ａが１回転する時間よりも短い時間で（たとえば、複数枚の記録媒体Ｗに画像を形成すべく版胴３Ａが回転している状態で、版胴３Ａが１回転する間に）、押圧部材移動手段１７Ａによる押圧部材５Ａの移動ストロークのうちで版胴３Ａ側における押圧部材５Ａの移動を無くして、押圧部材５Ａと版胴３Ａとの間の距離が一定の距離以上になるように、押圧部材５Ａを保持する手段である。第１の保持手段１９Ａで保持した状態で版胴３Ａが回転すると、押圧部材５Ａは、この移動ストロークのうちで版胴３Ａから離れた側で、たとえば僅かではあるが往復移動するようになっている。
【００４７】
第１の保持手段１９Ａを設けてあることにより、記録媒体搬送路９を流れている記録媒体Ｗに対して、版胴３Ａによる画像形成を停止し、版胴３Ｂのみによる画像形成をすることができるようになっている。
【００４８】
第２の保持手段２１Ａは、版胴３Ａが１回転する時間よりも長い時間をかけて（たとえば、複数枚の記録媒体Ｗに画像を形成すべく版胴３Ａが回転している状態で、版胴３Ａが複数回回転する間に）、押圧部材移動手段１７Ａによる押圧部材５Ａの移動を無くする手段である。第２の保持手段２１Ａの保持によって、押圧部材５Ａと版胴３Ａとの間の距離が、押圧部材移動手段１７Ａで押圧部材５Ａが版胴３Ａから最も離れたところに位置しているときの版胴３Ａと押圧部材５Ａとの間の距離よりもさらに大きな一定の距離になるようになっている。第２の保持手段２１Ａで保持した場合、版胴３Ａが回転しても押圧部材５Ａは全く動かないようになっている。
【００４９】
なお、たとえば、第２の保持手段２１Ａによる押圧部材５Ａの保持がなされていないときには、押圧部材５Ａの保持やこの保持の解除が第１の保持手段１９Ａによってできるようになっているが、第２の保持手段２１Ａによる押圧部材５Ａの保持がなされているときには、第１の保持手段１９Ａによる押圧部材５Ａの保持やこの保持の解除が無効になるように構成されている。
【００５０】
また、たとえば、第１の保持手段１９Ａによる押圧部材５Ａの保持やこの保持の解除は、押圧部材移動手段１７Ａによって押圧部材５Ａが版胴３Ａから一定の距離以上離れているときになされるように構成されている。
【００５１】
さらに、たとえば、第１の保持手段１９Ａによる押圧部材５Ａの保持がされていても、もしくは、第１の保持手段１９Ａによる押圧部材５Ａの保持がされていなくても、第２の保持手段２１Ａによる押圧部材５Ａの保持または解除ができるように構成されていてもよい。
【００５２】
また、画像形成装置１では、複数枚の記録媒体Ｗを所定の間隔をあけて１枚づつ次々に記録媒体搬送路９に沿って搬送し、この搬送している記録媒体Ｗに１枚づつ次々に画像を転写しているときに、所定の枚数目の記録媒体Ｗから、押圧部材５Ａによる押圧を無くして、画像の転写を行なわないようにすることができるようになっている。
【００５３】
すなわち、タッチパネル等の入力手段（図示せず）によって、所定の枚数目の記録媒体Ｗから版胴３Ａによる記録媒体Ｗへの画像の転写を行なわないようにする旨の信号を制御装置１５に入力し、この信号の入力がされたときに、制御装置１５の制御の下、第１の保持手段１９Ａによって押圧部材５Ａを保持し、所定の枚数目の記録媒体Ｗから版胴３Ａによる画像の転写を停止し、この後、第２の保持手段２１Ａで押圧部材５Ａを保持するようになっている。なお、各保持手段１９Ａ、２１Ａで押圧部材５Ａを保持した状態においても、記録媒体搬送路９での記録媒体Ｗの搬送は継続されており、版胴３Ｂによる画像形成はなされているものとする。
【００５４】
ここで、押圧部材移動手段１７Ａ，各保持手段１９Ａ，２１Ａについて例を掲げて詳しく説明する。
【００５５】
図２〜図６は、押圧部材移動手段１７Ａ，各保持手段１９Ａ，２１Ａの概略構成を示す図である。
【００５６】
押圧部材移動手段１７Ａは、カム機構を用いて押圧部材５Ａを移動するようになっている。前記カム機構の従動節（たとえば、レバー）２３に押圧部材（たとえば、押圧ローラ）５Ａが支持されている。前記カム機構の動節（たとえば、回転カム）２５の基礎円２５Ａに従動節２３（より具体的には、カムフォロア２７）が接しているときには、記録媒体Ｗを版胴３Ａに押し付ける位置に押圧部材５Ａが存在するようになっている（図２に示すように、版胴３Ａに押圧部材５Ａが接触するようになっている）。また、前記カム機構の動節２５の基礎円以外の部位（動節２５の回転中心ＣＬ６との距離が前記基礎円よりも遠くに存在する部位；突出部位）２５Ｂに従動節２３が接しているときには、版胴３Ａから離れた位置に押圧部材５Ａが存在するようになっている（図３参照）。
【００５７】
第１の保持手段１９Ａは、従動節２３に一体的に設けられた第１の係止部（レバー２３の一端部側に設けられた被当接部）２９と、第１の接触位置と第１の離別位置との間を移動自在な第１の移動部材（たとえば、フック部材）３１とを備えて構成されている。
【００５８】
第１の接触位置（図４〜図６に示すフック部材３１の位置）とは、第１の移動部材３１が、第１の係止部２９に接触可能な位置（接触可能な接触姿勢でもよい。；規制位置）である。第１の離別位置（図２、図３に示すフック部材３１の位置）とは、第１の移動部材３１が、第１の係止部２９や従動節２３に接触しない位置であり、第１の係止部２９や従動節２３から離れた位置（離れたな離別姿勢でもよい。；非規制位置）である。
【００５９】
そして、前記カム機構によって押圧部材５Ａが版胴３Ａから最も離れているところ（図３や図４に示す位置にレバー２３や押圧部材５Ａが位置しているときに）、もしくはこの近傍に位置しているときに、第１の移動部材３１が前記第１の接触位置に位置することにより（第１の移動部材３１が図３の状態から図４の状態に回動することにより）、第１の移動部材３１で従動節２３の移動が規制されて、動節２５の回転にかかわらず押圧部材５Ａが版胴３Ａから離れているように構成されている。
【００６０】
なお、第１の移動部材３１が第１の離別位置に位置する場合には、第１の移動部材３１が従動節２３等に接触せず、動節２５の回転によって、押圧部材５Ａが記録媒体Ｗを版胴３Ａに押し付ける位置（図２参照）と版胴３Ａから離れた位置（図３参照）との間で移動するようになっている。
【００６１】
また、第１の移動部材３１が第１の離別位置に位置しているときには、カム機構の従動節２３（カムフォロア２７）がカム機構の動節（回転カム）２５の基礎円と基礎円以外の部位（回転カム２５の全周）に接触するように構成されており、第１の移動部材３１が第１の接触位置に位置して従動節２３の第１の係止部２９と接触しているときには、カム機構の従動節２３（カムフォロア２７）がカム機構の動節（回転カム）２５の基礎円から離間するように構成されている。
【００６２】
第２の保持手段２１Ａは、従動節２３に一体的に設けられた第２の係止部（たとえば、レバー２３の一端部側の部位）３３と、第２の接触位置と第２の離別位置との間を移動自在な第２の移動部材（第１の移動部材とは別体である移動部材；可動部材）３５とを備えて構成されている。
【００６３】
第２の接触位置（図６に示す移動部材３５の位置）とは、第２の移動部材３５が、第２の係止部３３に接触する位置である（接触可能な接触姿勢でもよい；たとえば、当接位置）。第２の離別位置（図２、図３に示す移動部材３３の位置）とは、第２の移動部材３５が、第２の係止部３３から離れた位置である（接触不可能な姿勢でもよい；たとえば、非当接触位置）。
【００６４】
なお、第２の移動部材３５が、第２の接触位置に位置しているときには、カム機構の従動節２３（カムフォロア２７）がカム機構の動節（回転カム）２５から完全に離間するように構成されている。すなわち、２３（カムフォロア２７）が、動節（回転カム）２５の基礎円だけでなくなく動節２５の基礎円以外の突出部からも離れているように構成されている。
【００６５】
そして、第２の移動部材３５は、第２の接触位置と前記第２の離別位置との間を、アクチュエータ（たとえば、パルスモータ）３７と自動締りのウォーム歯車機構（たとえば、ウォーム３９とウォーム歯車４１）とを用いて移動するようになっている。第２の接触位置に第２の移動部材３５が位置しているときには、押圧部材５Ａが、前記カム機構によって版胴３Ａから最も離れた位置（図３、図４に示す押圧部材５Ａの位置）よりもさらに離れた位置（図６に示す押圧部材５Ａの位置）で保持されるようになっている。なお、第２の離別位置に第２の移動部材３５が位置しているときには、第２の保持手段２１Ａによる押圧部材５Ａの保持が解除されている。
【００６６】
ここで、自動締りのウォーム歯車機構について説明する。ウォーム歯車機構は、ウォーム（小歯車）３９とこのウォーム３９に噛合しているウォーム歯車（大歯車）４１とを備えて構成されている。そして、ウォーム３９をまわすことによってウォーム歯車４１はまわるが、ウォーム３９を原動車としたウォーム歯車（ウォーム・ギヤ）４１の効率が悪くなっているので、ウォーム３９をまわそうとしてウォーム歯車４１にトルクを加えても、ウォーム歯車４１とウォーム３９とはまわらないようになっている。すなわち、自動締りの状態になっている。
【００６７】
アクチュエータとしてパルスモータ等のモータ３７を採用し、パルスモータ３７の回転出力軸にウォーム３９を取り付け、ウォーム歯車４１にこのウォーム歯車４１といっしょに回転するピニオン４３を取り付け、第２の移動部材３５にラック４５（ピニオン４３に噛合しているラック４５）を一体的に取り付け（図２におけるＶＩＩ矢視図である図７参照）、パルスモータ３７の回転出力軸が回転することによって、第２の移動部材３５が直線的に移動するようになっている。
【００６８】
ところで、第１の移動部材３１は、バネ等の弾性体４７と第２の移動部材３５とによって、移動するようになっている（または、回動して姿勢が変わるようになっている）。すなわち、たとえば、第２の移動部材３５によって押されているときには、第１の移動部材３１が前記第１の離反位置に位置し、第２の移動部材３５によって押されていないときには、第１の移動部材３１がバネ等の弾性体４７によって付勢されて前記第１の接触位置に位置するようになっている。
【００６９】
なお、いままでの説明では、版胴３を２つ備えているが、版胴３が１つだけ設けられている構成であってもよいし、版胴３が３つ以上の複数設けられている構成であってもよい。また、これらの複数の版胴３毎に、押圧部材移動手段１７と各保持手段１９，２１とが設けられている。版胴３を複数設けた場合には、図１から理解されるように、各版胴３は記録媒体搬送路９に沿って並んでいるものとする。記録媒体搬送路９は、必ずしも直線状に形成されている必要はなく、曲がって形成されていてもよい。
【００７０】
また、２つ以上の複数の版胴３を設けた場合において、画像形成装置１に、各版胴３のうちで印刷を実行しない版胴を選択する選択手段４９を設けてもよい。
【００７１】
そして、制御装置１５の制御の下、選択手段４９で選択された版胴３に記録媒体Ｗを押し付けるための押圧部材５を、第１の保持手段１９で保持し、この保持をした状態で、第２の保持手段２１で保持し、選択手段４９で選択されなかった版胴３を用いて記録媒体Ｗへの画像形成を実行するようにしてもよい。すなわち、たとえば、選択手段４９によって版胴３Ａが選択された場合には、版胴３Ａとは異なる版胴３Ｂのみによって、記録媒体Ｗに画像が形成されるようにしてもよい。
【００７２】
さらに、選択手段４９によって、所定の枚数目の記録媒体Ｗから画像を形成しないようにすることができるようにしてもよい。すなわち、複数枚の記録媒体Ｗを１枚づつ次々に記録媒体搬送路９に沿って搬送し、この搬送している記録媒体Ｗに各版胴３から次々に画像を転写しているときに、所定の枚数目の記録媒体Ｗから、選択手段４９で選択された版胴（印刷を実行しない版胴）３を押圧する押圧部材５による押圧を無くして、画像の転写を行なわないようにしてもよい。
【００７３】
さらに説明すれば、タッチパネル等の選択手段（入力手段）４９によって、所定の枚数目の記録媒体Ｗから画像の転写を行なわないようにする旨の信号を制御装置１５に入力し、この入力がされたときに、制御装置１５の制御の下、選択された版胴３を押圧する押圧部材５を第１の保持手段１９によって保持し、所定の枚数目の記録媒体Ｗから画像の転写を停止しておいて、この後、第２の保持手段２１で選択された版胴３を押圧する押圧部材５を保持するようにしてもよい。
【００７４】
なお、たとえば、選択手段４９で選択された版胴３を押圧する押圧部材５を、各保持手段１９，２１で保持した状態においても、記録媒体Ｗの搬送は継続されており、選択手段４９で選択されなかった版胴３による記録媒体Ｗへの画像の転写が行なわれるものととする。
【００７５】
ここで、画像形成装置１についてさらなる例を掲げて詳しく説明する。
【００７６】
画像形成装置１は、版胴３と回転カム２５とレバー２３と押圧ローラ５とフック部材３１と可動部材３５とを備えて構成されている。なお、１つの版胴３に対応して、１つの回転カム２５と１つのレバー２３と１つの押圧ローラ５と１つのフック部材３１と１つの可動部材３５とが設けられている。図１に示す画像形成装置１では、版胴３が２つ設けられているので、これに対応して２セットの回転カム２５等が設けられている。
【００７７】
ここでは、１つの版胴３と１つの回転カム２５と１つのレバー２３と１つの押圧ローラ５と１つのフック部材３１と１つの可動部材３５とについて説明する。
【００７８】
版胴３は、円筒状に形成されており、この円筒の中心軸ＣＬ１を回転中心にして筐体７に回転自在（自転自在）に設けられており、前述したように、記録媒体Ｗに転写される画像が形成されている原版を外周に設置自在になっている。
【００７９】
回転カム２５は、たとえば板カムで構成されており、モータ等のアクチュエータ（図示せず）で回転する版胴３の回転に同期して（同じ回転角速度で）回転するようになっている。
【００８０】
レバー２３は、この中間部で筐体７に係合して軸ＣＬ５を中心にして筐体７に回動自在に設けられている。また、レバー２３の一端部側で弾性体（たとえば、引っ張りバネ）５１により反時計まわりに付勢されていることによって、レバー２３の他端部側に設けられたカムフォロア２７が回転カム２５に接し、回転カム２５の回転によってレバー２３が回動するようになっている。
【００８１】
押圧ローラ５は、レバー２３の他端部側でレバー２３に軸ＣＬ２を中心にして回転自在（自転自在）に設けられており、回転カム２５によるレバー２３の回動によって、記録媒体搬送路９を搬送されてくる記録媒体Ｗを版胴３に押し付ける押し付け位置（図２に示す押圧ローラ５の位置）と、版胴３から離れた第１の離反位置（図３に示す押圧ローラ５の位置）との間を移動するようになっている。
【００８２】
また、押圧ローラ５は、カムフォロア２７が回転カム２５の基礎円２５Ａに接しているとき（カムフォロア２７が回転カム２５の基礎円２５Ａからこの基礎円２５Ａの径方向にごく僅かに離れているときであってもよい。）には、前記押し付け位置のところに位置し、カムフォロア２７が回転カム２５の基礎円以外の部位２５Ｂに接しているときには、前記第１の離反位置に位置するようになっている。
【００８３】
フック部材３１は、レバー２３の一端部側に一体的に設けられた被当接部２９に当接する当接部５３を一端部側に一体的に備えている。また、フック部材３１は、この中間部で筐体７に係合して筐体７に軸ＣＬ８を中心にして回動自在に設けられている。
【００８４】
そして、規制位置と非規制位置との間で回動し、他端部側が弾性体（たとえば、引っ張りバネ）４７によって付勢され、一端部側が筐体７に一体的に設けられたストッパ５５に当接していることによって、前記規制位置に位置するようになっている。
【００８５】
ここで、規制位置（図４〜図６に示すフック部材３１の位置もしくは姿勢）とは、当接部５３がレバー２３の被当接部２９に当接することにより、回転カム２５の回転にかかわらず、押圧ローラ５が押し付け位置（図２に示す押圧ローラ５の位置）と第１の離反位置（図３、図４に示す押圧ローラ５の位置）との間に存在する第２の離反位置（図５に示す押圧ローラ５の位置）よりも版胴３に近づかないようにレバー２３の回動を規制する置である。
【００８６】
可動部材３５は、前述したように、モータ３７によって、レバー２３の一端部側の部位３３に接近もしくは離反する方向で筐体７に直線的に移動自在に設けられており、当接位置と非当接位置との間を移動するようになっている。
【００８７】
ここで、当接位置（図６に示す可動部材３５の位置）とは、レバー２３端部側の部位３３接して、押圧ローラ５を第１の離反位置（図３、図４に示す押圧ローラ５の位置）よりも版胴３から離れた一定の位置である第３の離反位置（図６に示す押圧ローラ５の位置）に位置させる可動部材３５の位置である。また、非当接位置とは、可動部材３５が、レバー２３の一端部側の部位３３から離れた位置であって、図３や図４に示す可動部材３５の位置である。
【００８８】
また、可動部材３５は、フック部材３１の他端部側の部位５７に当接するストッパ５９を備えている。そして、可動部材３５が非当接位置もしくはこの近傍に位置しているときまたは非当接位置（図３や図４に示す可動部材３５の位置）からこの非当接位置と当接位置（図６に示す可動部材３５の位置）との間に位置している中間位置（図４、図５に示す可動部材３５の位置）まで移動するときに、ストッパ５９がフック部材３１の他端部側の部位５７に当接して、フック部材３１が非規制位置（図２や図３に示すフック部材３１の位置や姿勢）に位置するようになっている。また、可動部材３５が中間位置と当接位置との間に位置しているときには、ストッパ５９がフック部材３１から離れるようになっており、このように離れることによって、フック部材３１が非規制位置（図２や図３に示すフック部材３１の位置もしくは姿勢）に位置しても、可動部材３５がレバー２３の一端部側の部位３３に当接して押圧ローラ５を版胴３から離れた位置に位置させるようになっている。なお、可動部材３５が当接位置に位置している状態（図６の状態）では、押圧ローラ５が前記第３の離反位置に位置している。
【００８９】
さらに、可動部材３５が当接位置から非当接位置に向かう方向に移動するとき（可動部材３５が図６の位置から図２の位置に向かう方向に移動するとき；可動部材３５がレバー２３の部位３３から離れる方向に移動するとき）に、ストッパ５９がフック部材３１に接触してもフック部材３１が回動しないようなワンウェイ構造で、ストッパ５９が可動部材３５に設けられている。
【００９０】
すなわち、図８（図２等におけるストッパ５９の設置部の概略構成を示す拡大図）に示すように、軸ＣＬ１１を中心にして回動するように、ストッパ５９が可動部材３５に設けられている。また、ストッパ５９は、たとえば、ねじりコイルバネ６１等の弾性体によって時計まわりに付勢されている。そして、図８に実線で示す位置（姿勢）と、図８に二点鎖線で示す位置（姿勢）との間で回動し、図８に実線で示す位置から、矢印ＡＲ１１の方向（時計まわり）には回動できないが、矢印ＡＲ１１ａの方向（反時計まわり）には回動するようになっている。
【００９１】
図２〜図６に示したストッパ５９は、図８に実線で示したところに位置しており、可動部材３５が図６の位置から図２の位置に向かう方向に移動するときに、ストッパ５９が、フック部材３１に接触して、図８に二点鎖線で示したように回動し、フック部材３１を動かすことなく、可動部材３５が移動するようになっている。
【００９２】
ところで、たとえば、図１に示すように、版胴３等を複数設けた場合であっても、回転カム２５を１つだけ設け、回転カム２５を共用するようにしてもよい。
【００９３】
さらに、上述したように、選択手段４９を設け、制御装置１５の制御の下、選択手段４９で選択された版胴３に記録媒体Ｗを押し付けるための押圧ローラ５が、前記第１の離反位置（図３に示す位置）に位置しているときに、選択手段４９で選択された版胴３側に設けられているフック部材（たとえば、選択された版胴３に対応して設けられているフック部材）３１を規制位置（図４〜図６に示す位置）に位置させ、このようにフック部材３１が規制位置に位置している状態で、選択手段４９で選択された版胴３側に設けられている可動部材３５を、非当接位置（図２や図３に示す位置）から移動して当接位置に位置（図６に示す位置）させ、選択手段４９で選択されなかった版胴３を用いて記録媒体Ｗへの画像形成を実行するようにしてもよい。
【００９４】
ここで、画像形成装置１の動作について説明する。
【００９５】
まず、初期状態として、給紙カセット１１に格納されている記録媒体Ｗが所定の間隔をあけて１枚ずつ記録媒体搬送路９を搬送されており、記録媒体Ｗに１枚づつ、各版胴３で画像が形成されているものとする。この状態では、押圧ローラ５は、図２に示す位置と図３に示す位置との間を往復している。
【００９６】
続いて、たとえば、版胴３Ａによる記録媒体Ｗへの画像形成を停止する場合には、可動部材３５を図３に矢印ＡＲ３１で示す方向に移動し、図４に示す中間位置に位置させ、フック部材３１を、版胴３Ａが１回転する時間よりも短い時間で、前記非規制位置から規制位置（図４〜図６に示す姿勢）を位置させると、押圧ローラ５Ａは、回転カム２５の回転にかかわらず、版胴３Ａから常に離れた状態になる。なお、可動部材３５が中間位置に位置している状態で回転カム２５が１回転以上回転したとすれば、押圧ローラ５は、図４に示す位置と図５に示す位置との間を１回転以上往復するのである。
【００９７】
続いて、図５に示す状態において、図５に示す矢印ＡＲ３２の方向に、可動部材３５をさらに移動し、図６に示す状態にする。図６に示す状態になることによって、回転カム２５が回転しても、カムフォロア２７と回転カム２５とは接触せず、また、レバー２３の揺動が停止され、レバー２３とフック部材３１とが接触することはなくなり、押圧ローラ５が全く動くことなく版胴３から離れた一定の位置に位置するようになる。
【００９８】
なお、版胴３Ａによる記録媒体Ｗへの画像形成を開始（たとえば、再開）すべく、可動部材３５が図６に示す位置から図２や３で示す位置に戻る場合、図８に二点鎖線で示すようにストッパ５９が回動するようになっている。さらに説明すると、図８に二点鎖線で示す状態から図８に実線で示す状態（図２や図３で示す状態）にストッパ５９を回動させるために、可動部材３５が、図２や図３に示す状態よりもレバー２３から一層離れ、この後、可動部材３５がレバー２３に近づく方向に移動するようになっているもとする。
【００９９】
なお、上記動作の説明では、所定の枚数目から記録媒体Ｗへの画像形成をしない場合を例に掲げて説明したが、記録媒体Ｗの最初の１枚目から、たとえば、版胴３Ａで画像形成せずに版胴３Ｂのみで画像形成するようにしてあってもよい。
【０１００】
画像形成装置１によれば、版胴３が１回転する時間よりも短い時間で押圧部材５を保持するので、連続して複数枚の記録媒体Ｗを搬送しつつ画像形成している状態において、記録媒体Ｗの搬送を停止することなく版胴３による画像形成を直ちに停止することができると共に、上記保持をした状態で、版胴３が１回転する時間よりも長い時間をかけて版胴３と押圧部材５との間の距離が、より大きな一定の距離になるように保持するので、簡素な構成で押圧部材５の移動等に伴う騒音の発生を抑制することができる。
【０１０１】
また、画像形成装置１によれば、フック部材３１を用いているので、簡素な構成で版胴３が１回転する時間よりも短い時間で押圧部材５を保持することができ、また、自動締りウォーム歯車機構を用いているので、簡素な構成で押圧部材５を一定の位置で保持することができる。
【０１０２】
また、画像形成装置１によれば、各版胴３毎に、押圧部材移動手段１７と各保持手段１９，２１とが設けられているので、記録媒体搬送路９における記録媒体Ｗの搬送形態を変えることなく、必要な版胴３のみを使用して記録媒体Ｗに画像形成をすることができる。
【０１０３】
さらに、画像形成装置１によれば、選択手段４９で選択された版胴３に記録媒体Ｗを押し付けるための押圧部材５を第１の保持手段１９で保持し、この保持をした状態で、第２の保持手段２１で保持するので、記録媒体搬送路９における記録媒体Ｗの搬送形態を変えることなく、必要な版胴３のみを使用して記録媒体Ｗに画像形成をすることができる。
【０１０４】
また、画像形成装置１によれば、まずフック部材３１で押圧ローラ５を保持し、この保持した状態で、可動部材３５を用い押圧ローラ５を一定の位置に保持するので、連続して複数枚の記録媒体Ｗを搬送しつつ画像形成している状態において、記録媒体Ｗの搬送を停止することなく版胴３による画像形成を直ちに停止することができると共に、押圧ローラ５を移動する機構から発生する騒音（回転カム２５がカムフォロア２７にぶつかり、また、レバー２３にフック部材３１がぶつかるときに発生する騒音）を抑制することができる。
【０１０５】
また、ストッパ５９がワンウェイ構造で設けられているので、フック部材３１を回動するためのアクチュエータを別途設けることなく、簡素な構成でフック部材３１を回動させてレバー２３（押圧ローラ５）の保持もしくは解除をすることができ、さらに、フック部材３１の存在にかかわらず、可動部材３５を当接位置から被当接位置に移動させることができる。
【０１０６】
さらに、画像形成装置１によれば、選択手段４９で選択された版胴３に記録媒体Ｗを押し付けるための押圧ローラ５（レバー２３）をフック部材３１で保持し、この保持をした状態で押圧ローラ５（レバー２３）を可動部材３５でさらに保持するので、記録媒体搬送路９における記録媒体Ｗの搬送形態を変えることなく、必要な版胴３のみを使用して記録媒体Ｗに画像形成することができる。
【０１０７】
ところで、図９（可動部材３５をねじ機構とを用いて移動する場合を示す図）に示すように、モータ３７等のアクチュエータと逆回転止めのねじ機構とを用いて、可動部材３５移動するようにしてもよい。
【０１０８】
ここで、逆回転止めのねじ機構について説明する。逆回転止めのねじ機構は、雄ねじが形成されているねじ軸（可動部材）３５とこのねじ軸３５に螺合しているナット６５とを備えて構成されている。そして、ナット６５を回転するとねじ軸３５が直線運動するが、前述したウォーム歯車４１とウォーム３９とにおける自動締りの状態と同様にして、ナット６５を回転させようとしてねじ軸３５に軸方向の力を加えても、ナット６５が回転せずねじ軸３５も動かないようになっている。
【０１０９】
さらに説明すると、自動締りのウォーム歯車機構の場合と同様にして、アクチュエータとしてパルスモータ等のモータ３７を採用し、パルスモータ３７の回転出力軸に設けたスパーギヤ６３を介してナット６５を回転させ、この回転によってねじ軸３５が直線的に移動するようになっている。なお、ねじ軸３５を回転してナット６５を直線的に移動する構成であってもよい（ナット６５を第２の移動部材３５として使用する構成であってもよい）。
【０１１０】
また、フック部材３１を可動部材３５（ストッパ５９）で回動しているが、従来の画像形成装置２００と同様に、ソレノイドで回動させてもよい。
【０１１１】
また、上記説明では、レバー２３やフック部材３１を回動しているが、図１０（図２の変形例を示す図）に示すように、レバー２３に相当する部材７１を圧縮コイルバネもしくは引っ張りコイルバネ等の弾性体（図示せず）で、図１０に上方向に付勢しつつ回転カム２５で矢印ＡＲ２１の方向に直線的に移動し、フック部材３１に相等する部材７３を、ソレノイド７４等のアクチュエータで矢印ＡＲ２２の方向に直線的に移動し、可動部材３５に相等する部材７５を、上述した自動締りのウォーム歯車機構等で矢印ＡＲ２３の方向に直線的に移動するようにしてもよい。
【０１１２】
なお、部材７３は、位置ＰＳ１と位置ＰＳ２との間を移動し、部材７５は、位置ＰＳ３と位置ＰＳ４との間を移動するようになっている。
【０１１３】
そして、図１０に示すように、版胴３と押圧ローラ５とが距離Ｄ１だけ離れている状態で、部材７３を位置ＰＳ１から位置ＰＳ３に移動すると、回転カム２５の回転にかかわらず、押圧ローラ５が版胴３から常に離れるようになる。なお、図１０に示す距離Ｄ２は、距離Ｄ１よりも小さいのである。
【０１１４】
また、部材７３が位置ＰＳ３に位置している状態で、部材７５を、位置ＰＳ３から位置ＰＳ４に移動すると、部材７１は図１０に示す状態から距離Ｄ３だけ下方向に移動し、版胴３と押圧ローラ５とがさらに離れ（距離Ｄ１と距離Ｄ３の和だけ離れ）、回転カム２５の回転にかかわらず、押圧ローラ５が一定の位置に位置するようになる。
【０１１５】
なお、上述した画像形成装置は、記録媒体を搬送しつつ、回転している（自転している）版胴とこの版胴に前記記録媒体を押し付けるための押圧部材とで前記記録媒体を挟みこみ、前記版胴から前記記録媒体に画像を転写する構成の画像形成装置であって、前記版胴の回転に同期して、前記押圧部材を、前記記録媒体を前記版胴に押し付ける位置と前記版胴から離れた位置との間で移動させる押圧部材移動手段と、前記押圧部材移動手段による前記押圧部材の移動を無くして、前記押圧部材を前記版胴から離れた一定の位置で保持する保持手段とを有する画像形成装置の例であり、前記保持手段で保持した場合、前記版胴が回転しても押圧部材は全く動かないようになっている。
【０１１６】
この画像形成装置によれば、前記押圧部材を前記版胴から離れた一定の位置で保持するので、前記押圧部材の移動に伴う騒音の発生を抑制することができる。
【図面の簡単な説明】
【０１１７】
【図１】本発明の実施形態に係る画像形成装置１の概略構成を示す図である。
【図２】押圧部材移動手段１７，各保持手段１９，２１の概略構成を示す図である。
【図３】押圧部材移動手段１７，各保持手段１９，２１の概略構成を示す図である。
【図４】押圧部材移動手段１７，各保持手段１９，２１の概略構成を示す図である。
【図５】押圧部材移動手段１７，各保持手段１９，２１の概略構成を示す図である。
【図６】押圧部材移動手段１７，各保持手段１９，２１の概略構成を示す図である。
【図７】図２におけるＶＩＩ矢視図である。
【図８】図２等におけるストッパ５９の設置部の概略構成を示す拡大図である。
【図９】可動部材３５をねじ機構とを用いて移動する場合を示す図である。
【図１０】図２の変形例を示す図である。
【図１１】従来の画像形成装置２００における版胴２０２と押圧ローラ２０４とが設けられている部位の概略構成を示す図である。
【図１２】従来の画像形成装置２００における版胴２０２と押圧ローラ２０４とが設けられている部位の概略構成を示す図である。
【図１３】従来の画像形成装置２００における版胴２０２と押圧ローラ２０４とが設けられている部位の概略構成を示す図である。
【図１４】従来の画像形成装置２００における版胴２０２と押圧ローラ２０４とが設けられている部位の概略構成を示す図である。
【符号の説明】
【０１１８】
１  画像形成装置
３  版胴
５  押圧部材（押圧ローラ）
７  筐体
９  記録媒体搬送路
１５  制御装置
１７  押圧部材移動手段
１９  第１の保持手段
２１  第２の保持手段
２３  従動節（レバー）
２５  動節（回転カム）
２９  第１の係止部（被当接部）
３１  第１の移動部材（フック部材）
３３  係止部（レバー２３の一端部側の部位）
３５  第２の移動部材（可動部材）
３９  ウォーム
４１  ウォーム歯車
４９  選択手段
５３  当接部
５７  フック部材３１の他端部側の部位
【図１】
2009220524.tif 000003
【図２】
2009220524.tif 000004
【図３】
2009220524.tif 000005
【図４】
2009220524.tif 000006
【図５】
2009220524.tif 000007
【図６】
2009220524.tif 000008
【図７】
2009220524.tif 000009
【図８】
2009220524.tif 000010
【図９】
2009220524.tif 000011
【図１０】
2009220524.tif 000012
【図１１】
2009220524.tif 000013
【図１２】
2009220524.tif 000014
【図１３】
2009220524.tif 000015
【図１４】
2009220524.tif 000016